(57)【要約】【課題】賞品の獲得者に賞品として仮想通貨を提供することができる装置を提供する。【解決手段】賞品の獲得者に賞品として仮想通貨を提供する賞品提供装置は、Ｓ１２０にて、賞品に相当する法定通貨での金額を設定し、Ｓ１３０にて、法定通貨と仮想通貨との交換比率をネットワークを介して取得する。そして、Ｓ１４０にて、Ｓ１２０で設定された金額を、Ｓ１３０で取得された交換比率を用いて仮想通貨の量に換算し、Ｓ１６０にて、Ｓ１４０で換算された量の仮想通貨を、獲得者により指定された仮想通貨アドレスに送金する処理を行う。【選択図】図３
2020075036.tif 000002
【特許請求の範囲】
【請求項１】
賞品の獲得者に、前記賞品として仮想通貨を提供する賞品提供装置であって、
前記獲得者が獲得した賞品に相当する法定通貨での金額を設定するように構成された設定部と、
前記法定通貨と前記仮想通貨との交換比率を、ネットワークを介して取得するように構成された比率取得部と、
前記設定部により設定された金額を、前記比率取得部により取得された交換比率を用いて、前記仮想通貨の量に換算するように構成された換算部と、
前記換算部により換算された量の仮想通貨を、前記獲得者により指定された仮想通貨アドレスに送金する処理を行うように構成された送金処理部と、を備える、
賞品提供装置。
【請求項２】
請求項１に記載の賞品提供装置であって、
前記賞品は、パチンコ遊技場に設置された遊技機を用いた遊技により、前記獲得者が獲得した遊技媒体であり、
前記設定部は、前記遊技媒体の数に基づいて前記法定通貨での金額を設定するように構成されている、
賞品提供装置。
【発明の詳細な説明】
【技術分野】
【０００１】
本開示は、賞品の獲得者に、賞品を提供する装置に関する。
【背景技術】
【０００２】
法定通貨に代わる通貨として、仮想通貨を利用した商品の取引が普及してきている。例えば、下記特許文献１には、仮想通貨の送金に関する処理が記載されている。また、例えば下記特許文献２には、複数の遊技機が設けられたパチンコ遊技場が記載されている。
【先行技術文献】
【特許文献】
【０００３】
【特許文献１】特開２０１８−１５２０１６号公報
【特許文献２】特開２００８−２４６１９８号公報
【発明の概要】
【発明が解決しようとする課題】
【０００４】
発明者の詳細な検討の結果、下記の課題が見出された。
例えば、あるイベントや遊技機による遊技で賞品を獲得した人が、その賞品を仮想通貨のかたちで得たいと思っていたとしても、その要望を実現する装置がなかった。
【０００５】
そこで、本開示の一局面は、賞品の獲得者に、賞品として仮想通貨を提供することができる装置を提供する。
【課題を解決するための手段】
【０００６】
本開示の一態様による賞品提供装置は、賞品の獲得者に、賞品として仮想通貨を提供する装置であり、設定部と、比率取得部と、換算部と、送金処理部と、を備える。
設定部は、獲得者が獲得した賞品に相当する法定通貨での金額を設定する。また、比率取得部は、法定通貨と仮想通貨との交換比率を、ネットワークを介して取得する。
【０００７】
換算部は、設定部により設定された金額を、比率取得部により取得された交換比率を用いて、仮想通貨の量に換算する。そして、送金処理部は、換算部により換算された量の仮想通貨を、獲得者により指定された仮想通貨アドレスに送金する処理を行う。
【０００８】
この構成によれば、賞品の獲得者に、賞品として仮想通貨を提供することができるようになる。
また、本開示の一態様として、賞品は、パチンコ遊技場に設置された遊技機を用いた遊技により、獲得者が獲得した遊技媒体であって良い。この場合、設定部は、獲得された遊技媒体の数に基づいて法定通貨での金額を設定するように構成されて良い。
【図面の簡単な説明】
【０００９】
【図１】実施形態のパチンコ遊技場の説明図である。
【図２】実施形態の賞品提供装置の構成を説明する説明図である。
【図３】実施形態の賞品提供処理を表すフローチャートである。
【発明を実施するための形態】
【００１０】
以下、図面を参照しながら、本開示の実施形態を説明する。
［１．パチンコ遊技場の構成］
図１に示すように、パチンコ遊技場１には、複数のパチンコ島台２が並列に設置されている。パチンコ遊技場１は、いわゆるパチンコ店である。そして、パチンコ島台２の各々には、その長手方向に、複数の遊技機としてパチンコ機３が列設されている。パチンコ島台２における複数のパチンコ機３は、２つずつが裏側を向かい合わせにした状態で設けられている。また、パチンコ遊技場１において、パチンコ島台２同士の間及びパチンコ島台２と当該パチンコ遊技場１の壁面との間には、通路４が形成されている。更に、通路４において、各パチンコ機３に対向する位置には、パチンコ機３の遊技者が着座する遊技機用椅子（以下単に、椅子と言う）５がそれぞれ備えられている。パチンコ島台２同士の間の通路４では、各パチンコ島台２に対応する椅子５同士の間のスペースが、人が移動するための実際の通路となる。尚、図１に示されるパチンコ島台２、パチンコ機３及び椅子５の数は、一例である。
【００１１】
更に、パチンコ遊技場１における所定位置には、パチンコ機３を用いた遊技によって遊技者が獲得した遊技媒体としての遊技球（即ち、パチンコ球）を計数する計数装置７が設置されている。
【００１２】
計数装置７は、球投入口７ａを備え、この球投入口７ａに投入された遊技球の数を計数する。そして、計数装置７による遊技球の計数値のデータ（即ち、計数結果）は、賞品提供装置９に出力される。賞品提供装置９は、遊技者が獲得した賞品と見なされる遊技球を、仮想通貨に換えて、その遊技者に賞品として提供するものである。ここで言う遊技者は、賞品の獲得者に相当する。
【００１３】
［２．賞品提供装置の構成］
図２に示すように、賞品提供装置９は、処理部１１と、入力部１２と、メッセージ画像等を表示するための表示部１３とを備える。
【００１４】
処理部１１は、コンピュータによって構成されており、ＣＰＵ１１ａと、記憶部１１ｂとを備える。記憶部１１ｂには、ＣＰＵ１１ａにより実行されるプログラム等が記憶されている。処理部１１が行う各処理は、ＣＰＵ１１ａが記憶部１１ｂ内のプログラムを実行することで実現される。そして、処理部１１は、ネットワーク１５に接続されている。
【００１５】
ネットワーク１５には、仮想通貨ネットワーク１７を構成する要素として、仮想通貨取引所１９と複数の端末２１も接続されている。尚、ネットワーク１５は、例えばインターネットであるが、仮想通貨ネットワーク１７のための専用ネットワークであっても良い。
【００１６】
仮想通貨取引所１９は、実際には、仮想通貨取引所の機能を果たす（換言すると、仮想通貨取引所のサービスを提供する）コンピュータ等の処理装置である。仮想通貨取引所の機能には、法定通貨から仮想通貨へ交換する機能が含まれる。他にも、例えば、ある仮想通貨と別の仮想通貨とを交換する機能が含まれて良い。
【００１７】
複数の端末２１としては、仮想通貨を用いて取引を行うユーザの端末（以下、取引端末と言う）と、トランザクションの検証や承認を行うユーザの端末（以下、マイナ端末と言う）との、何れかがある。ここで言うトランザクションとは、仮想通貨の取引の内容を示す取引情報のことである。また、賞品提供装置９の処理部１１は、取引端末の１つでもある。尚、取引端末とマイナ端末との両方として機能する端末２１があっても良い。
【００１８】
仮想通貨には、ブロックチェーンと呼ばれる技術が使用されており、その取引において、ハッシュ関数と公開鍵暗号方式とを用いることで、トランザクションの信頼性や安全性を担保している。取引端末にて暗号技術を用い生成されたトランザクションは、仮想通貨ネットワーク１７における全ての端末２１に送信（即ち、ブロードキャスト）される。そして、送信されたトランザクションは、マイナ端末によって署名の検証がなされ、検証の結果、問題がなければ、新たなブロックに取り入れられる候補となる。マイナ端末は、ブロックを作成するが、ブロックのハッシュ値が、予め定められた所定条件を満たせば、そのブロックがマイナ端末からブロードキャストされ、仮想通貨ネットワーク１７上で共有されるブロックチェーンに追加される。新規のトランザクションはブロックチェーンに追加されることで承認される（即ち、取引が完了する）ことになる。
【００１９】
［３．処理］
次に、賞品提供装置９の処理部１１が行う賞品提供処理について、図３を用い説明する。
【００２０】
パチンコ機３の遊技者が獲得した賞品としての遊技球が、計数装置７により計数され、その計数が完了すると、処理部１１は、図３の賞品提供処理を行う。尚、計数された遊技球を獲得した遊技者のことを、獲得者と言う。
【００２１】
図３に示すように、処理部１１は、Ｓ１１０にて、計数装置７から遊技球の計数値を取得する。
そして、処理部１１は、次のＳ１２０にて、上記Ｓ１１０で取得した計数値（即ち、遊技球の数）に基づいて、獲得された賞品に相当する法定通貨での金額を設定する。尚、本実施形態において、法定通貨は、円であるが、ドルやユーロなどでも良い。
【００２２】
具体的には、処理部１１は、予め設定された、遊技球１つあたりの金額である「Ａ」と、Ｓ１１０で取得した計数値である「Ｎ」とを、乗算することにより、賞品に相当する金額である「Ａ×Ｎ」を設定する。
【００２３】
処理部１１は、次のＳ１３０にて、仮想通貨取引所１９からネットワーク１５を介して、現時点における法定通貨と仮想通貨との交換比率を取得する。交換比率は、例えば、仮想通貨の所定単位量（例えば１単位）あたりの法定通貨での金額（即ち、価格）であっても良いし、逆に、法定通貨の所定単位額（例えば１円）で買える仮想通貨の量であっても良い。
【００２４】
処理部１１は、次のＳ１４０にて、上記Ｓ１２０で設定した金額を、上記Ｓ１３０で取得した交換比率を用いて、仮想通貨の量に換算する。例えば、１円あたりの仮想通貨量が「Ｂ」であるとすると、Ｓ１２０で設定された「Ａ×Ｎ」という金額は、「Ａ×Ｎ×Ｂ」という仮想通貨量に換算される。
【００２５】
処理部１１は、次のＳ１５０にて、獲得者に対して仮想通貨の送金先とする仮想通貨アドレスの入力を促すメッセージを、表示部１３に表示する。すると、獲得者は、例えば入力部１２を介して、任意の仮想通貨アドレスを入力する。仮想通貨アドレスは、銀行口座で例えると、口座番号に相当する。仮想通貨のシステムでは、仮想通貨アドレスを指定して送金する処理を行えば、そこに送金することができる。例えば、仮想通貨がビットコイン（登録商標）であるとすると、ビットコインアドレスが、仮想通貨アドレスに該当する。
【００２６】
このため、処理部１１は、Ｓ１５０では、更に、獲得者によって入力される仮想通貨アドレス、即ち、獲得者により指定された仮想通貨アドレスを、取得する。
尚、入力部１２が、キーボードを備えるのであれば、獲得者は、そのキーボードを操作することにより、仮想通貨アドレスを入力することができる。また、入力部１２は二次元コードリーダーを備えていても良い。この場合、獲得者は、例えば、自身が所持する多機能携帯電話（即ち、スマートフォン）に仮想通貨アドレスを示す二次元コードを表示させ、その表示させた二次元コードを二次元コードリーダーに読み取らせることで、仮想通貨アドレスを簡単に入力することができる。また例えば、獲得者が、自身の多機能携帯電話から、所定のウェブサイトにアクセスして、そのウェブサイト上で所望の仮想通貨アドレスを入力すると、その仮想通貨アドレスが処理部１１に転送される、という構成でも良い。
【００２７】
処理部１１は、次のＳ１６０にて、上記Ｓ１４０で換算した量の仮想通貨を、上記Ｓ１５０で取得した仮想通貨アドレスに送金するための送金処理を行う。
具体的には、処理部１１は、仮想通貨を「Ａ×Ｎ×Ｂ」という量だけ、送金元の仮想通貨アドレスから送金先の仮想通貨アドレスに送金する、という内容を示すトランザクションを生成する。このトランザクションには、仮想通貨の移動額としての上記「Ａ×Ｎ×Ｂ」と、送金元の仮想通貨アドレス及び送金先の仮想通貨アドレスとに関する情報が含まれる。送金元の仮想通貨アドレスは、賞品として用いられる仮想通貨の保管場所に該当するウォレットのアドレスで良い。尚、ウォレットは、仮想通貨の財布又は銀行口座に相当するものである。また、送金先の仮想通貨アドレスは、Ｓ１５０で取得した仮想通貨アドレスである。そして、生成されたトランザクションは、電子署名がなされ、前述した検証及び承認を受けるために、ネットワーク１５に送信される。つまり、ネットワーク１５上の複数の端末２１にブロードキャストされる。この結果、獲得者が獲得した遊技球の数に対応する量の仮想通貨が、獲得者により指定された仮想通貨アドレスに賞品として送金される。
【００２８】
そして、処理部１１は、上記Ｓ１６０の処理を行った後、当該賞品提供処理を終了する。
［４．効果］
以上詳述した実施形態によれば、賞品の獲得者に賞品として仮想通貨を提供することができるようになる。また、遊技媒体の一例である遊技球が、獲得された賞品であっても、遊技球の数に基づいて法定通貨での金額を設定し、その設定した金額を仮想通貨の量に換算するため、獲得された遊技球の数に見合った量の仮想通貨を、獲得者に提供することができる。
【００２９】
尚、上記実施形態では、Ｓ１２０が設定部としての処理に相当し、Ｓ１３０が比率取得部としての処理に相当し、Ｓ１４０が換算部としての処理に相当し、Ｓ１６０が送金処理部としての処理に相当する。
【００３０】
［５．他の実施形態］
以上、本開示の実施形態について説明したが、本開示は上述の実施形態に限定されることなく、種々変形して実施することができる。
【００３１】
例えば、遊技球の計数装置はパチンコ機３毎に設けられても良い。
また、遊技機としては、パチンコ機３に限らず、例えばスロットマシンでも良い。この場合、スロットマシンの遊技に用いられる遊技媒体としてのメダル（又はコイン）が計数され、その計数値が図３のＳ１１０で取得されれば良い。また、遊技機は、ゲームセンタ等、パチンコ遊技場以外の遊技場における遊技機であっても良い。つまり、賞品提供装置９は、パチンコ遊技場以外の遊技場に対して適用しても良い。
【００３２】
また、処理部１１は、図３の賞品提供処理では、少なくともＳ１３０よりも前に、獲得者に対して、複数種類の仮想通貨の何れかを選択させる処理を行い、Ｓ１３０では、選択された仮想通貨と法定通貨との交換比率を取得するようになっていて良い。この場合、Ｓ１４０以降の処理も、選択された仮想通貨について実施されれば良い。
【００３３】
また、本開示の賞品提供装置は、遊技機を用いた遊技への適用に限らず、例えば、他の賭け事やイベントの賞品として、仮想通貨を提供するようになっていて良い。他の賭け事としては、例えば、競馬、競艇、競輪、オートレースといった公営競技（いわゆる公営ギャンブル）や、宝くじ、ｔｏｔｏ等の公営くじや、ルーレットやトランプゲームやスロットマシン（ジャックポット付きのスロットマシンを含む）等のいわゆるカジノゲームであって良い。カジノゲームには、オンラインカジノ（ネットカジノとも呼ばれる）のゲームが含まれて良い。公営くじは公営ギャンブルの１つであるとも言える。また、イベントとしては、公営くじ以外のくじや、クイズ大会等であって良い。
【００３４】
具体例を挙げると、例えば、馬券（即ち、勝馬投票券）が的中した場合に払い戻される賞品としてのお金（即ち、配当金）を、仮想通貨のかたちで獲得者に提供することに、本開示の賞品提供装置を適用する場合、下記のように構成されて良い。
【００３５】
この場合、図３のＳ１１０では、馬券の記載内容（即ち、獲得者による投票内容）を光学的スキャナ等を介して読み取ると共に、レース結果に基づく配当金情報を所定のデータベースからネットワーク１５等を介して読み取り、Ｓ１２０では、Ｓ１１０での読み取り結果に基づいて、馬券の所有者（即ち、賞品の獲得者）に支払われるべき法定通貨での金額が、算出されて設定されるように構成されて良い。上記配当金情報は、例えば、どういう投票内容に対して配当金がどういう額であるか、という情報で良い。そして、こうした構成は、競艇、競輪、オートレースについても同様に適用できる。
【００３６】
また例えば、宝くじにおいて、賞品としての当せん金を仮想通貨のかたちで獲得者（即ち、当せん者）に提供することに、本開示の賞品提供装置を適用する場合、下記のように構成されて良い。
【００３７】
この場合、図３のＳ１１０では、くじ券の記載内容（例えば、くじの種類及びくじの番号等）を光学的スキャナ等を介して読み取ると共に、くじの結果情報を所定のデータベースからネットワーク１５等を介して読み取り、Ｓ１２０では、Ｓ１１０での読み取り結果に基づいて、くじ券の所有者（即ち、賞品の獲得者）に支払われるべき法定通貨での金額が、算出されて設定されるように構成されて良い。上記くじの結果情報は、例えば、どのくじのどの番号の当せん金額がどういう額であるか、という情報で良い。そして、こうした構成は、他のくじについても同様である。
【００３８】
また例えば、カジノゲーム等において、賞品としてのお金を仮想通貨のかたちで獲得者に提供することに、本開示の賞品提供装置を適用する場合、下記のように構成されて良い。
【００３９】
この場合、図３のＳ１１０では、例えばカジノゲームで獲得されたチップやコインの種類及び数を、所定の計測装置で自動計測させて取得したり、オペレータによる入力部１２への手動入力操作によって取得したりして良い。そして、Ｓ１２０では、Ｓ１１０で取得した結果と、予め定められた算出規則に基づいて、賞品の獲得者に支払われるべき法定通貨での金額が、算出されて設定されるように構成されて良い。また、オンラインカジノのゲームの場合には、図３のＳ１１０では、例えばゲームで獲得されたチップやコインの種類及び数の情報を、ゲームサービスを提供するサーバ等からネットワーク１５を介して取得して良い。そして、図３のＳ１５０では、賞品の獲得者（即ち、ゲームの実施者）が保有する端末から、ネットワーク１５を介して、その獲得者が指定する仮想通貨アドレスを取得して良い。
【００４０】
また例えば、賞品として提供される仮想通貨の財源の一部又は全部としては、仮想通貨を提供する側の者（例えば、個人又は法人）が保有するマイナ端末が、ブロックチェーンへの新たなブロックの追加に成功した場合（即ち、仮想通貨マイニングに成功した場合）に報酬として与えられる仮想通貨が、使用されるようになっていても良い。尚、ここで言う仮想通貨マイニングあるいは単にマイニングとは、仮想通貨の取引（即ち、トランザクション）を承認するための処理であり、言い換えると、情報が格納されるブロックチェーンに新たなブロックを追加するための承認処理である。そして、マイニングに成功した場合の報酬とは、新規に発行される仮想通貨による報酬に限ったものではない。例えば、新規に発行される仮想通貨による報酬と、取引承認を行ったことによる手数料としての報酬との、両方又は一方であって良い。
例えば、パチンコ遊技場１での遊技者に賞品として提供される仮想通貨の一部又は全部は、パチンコ遊技場１に設けられたマイナ端末により得られた報酬としての仮想通貨によって、賄われるようになっていて良い。
また、パチンコ遊技場１における遊技者が、上記賞品提供装置９によって提供された商品としての仮想通貨のうち、任意の量の仮想通貨を、次の遊技のための遊技媒体（例えば、遊技球やメダル）に換えることが可能な球貸装置が、パチンコ遊技場１に設置されても良い。例えば、この球貸装置は、遊技者によって入力される（即ち、指定される）仮想通貨アドレスから、遊技者によって入力される（即ち、指定される）量の仮想通貨を、パチンコ遊技場１あるいはパチンコ遊技場１の管理者が保有する仮想通貨アドレスへ送金する（即ち、入金する）処理と、その送金された仮想通貨の量に対応する遊技媒体の量を、ネットワーク１５を介して取得した上記交換比率に基づいて決定する処理と、決定された量の遊技媒体を遊技者に対して出力する（即ち、貸し出す）処理と、を行うように構成されて良い。遊技者に貸し出される遊技媒体の量は、例えば、遊技者の仮想通貨アドレスから送金された仮想通貨の量を、上記変換比率に基づき法定通貨の金額に換算し、その換算した金額に応じた量（即ち、金額／遊技媒体の単価）として、算出されて良い。
【００４１】
また、獲得者に提供する賞品としての仮想通貨の量に上限が設定されていて、その上限を超えた分の仮想通貨についは、例えば所定の物品又は法定通貨のかたちで、獲得者に提供されても良い。
【００４２】
また、上記実施形態における１つの構成要素が有する複数の機能を、複数の構成要素によって実現したり、１つの構成要素が有する１つの機能を、複数の構成要素によって実現したりしても良い。また、複数の構成要素が有する複数の機能を、１つの構成要素によって実現したり、複数の構成要素によって実現される１つの機能を、１つの構成要素によって実現したりしても良い。また、上記実施形態の構成の一部を省略しても良い。
【符号の説明】
【００４３】
１…パチンコ遊技場、２…パチンコ島台、３…パチンコ機、４…通路、５…椅子、７…計数装置、７ａ…球投入口、９…賞品提供装置、１１…処理部、１１ａ…ＣＰＵ、１１ｂ…記憶部、１２…入力部、１３…表示部、１５…ネットワーク、１７…仮想通貨ネットワーク、１９…仮想通貨取引所、２１…端末。
【図１】
2020075036.tif 000003
【図２】
2020075036.tif 000004
【図３】
2020075036.tif 000005